(57)【要約】      （修正有）【課題】高価で複雑な装置を用いず、円筒形容器の運搬を可能にしたドラム缶運搬装置用の円筒形容器運搬アタッチメントを提供する。【解決手段】水平方向に設けられた２本の支柱１の間に容器を抱持するための第１湾曲板２と、その外側に第２湾曲板３を取りつけ、前記第２湾曲板３の上端部にはドラム缶運搬装置により掴持可能な湾曲方向に沿った突起部５と容器を吊持する吊持手段４が設けられている。さらには、運搬する円筒形容器側にくぼみがある場合、そのくぼみに合わせて爪６を取り付ける。【選択図】図１
0003176289.tif 000002
【実用新案登録請求の範囲】
【請求項１】
水平方向に設けられた２本の支柱の間に円筒形容器を抱持する第１湾曲板と、その外側に第２湾曲板を取りつけ、前記第２湾曲板の上端部には、湾曲方向に沿った突起部と、円筒形容器を吊持する吊持手段が設けられていることを特徴とするドラム缶運搬装置用の円筒形容器運搬アタッチメント。
【請求項２】
請求項１記載の第１湾曲板に、爪を有することを特徴とする請求項１記載のアタッチメント。
【考案の詳細な説明】
【技術分野】
【０００１】
本考案は、高価で複雑な装置を用いず、一般的なドラム缶とは異なる円筒形容器の運搬を可能にしたドラム缶運搬装置用の円筒形容器運搬アタッチメントに関するものである。
【背景技術】
【０００２】
化学工場等において、ドラム缶をはじめとした円筒形の容器に原料や製品を投入し、工場内で運搬を行うことがよく行われている。容器が一般的なドラム缶である場合、これらを運搬するための装置に関しては各社から様々な製品が売り出されており、このような装置を使用することで容易に運搬することが可能である。
【０００３】
しかしながら、全てが一般的なドラム缶やそれに類似した容器とは限らない。例えば、円筒形の容器であったとしてもドラム缶のように外周部に突起がない場合、この外周部の突起に爪を引っ掛けて使用する一般的なドラム缶運搬装置は使用できないという問題が知られている。
【０００４】
このような場合、円筒形容器の胴体部分に紐状のものを縛りつけ、この紐状のもので容器を固定することで容器の運搬を可能としたドラム缶保持器の転用が可能である。（特許文献１）
【０００５】
【特許文献１】実開昭５１−７８５６４号公報
【考案の開示】
【考案が解決しようとする課題】
【０００６】
しかしながらこの方法によれば、容器がプラスチック製等すべりやすい表面で出来ている場合、運搬中に固定している紐状の固定部から容器が滑り落ちてしまうという問題があり、特に、その容器及び内容物の重量が大きくなればなるほど、その危険性は高くなる。また、このような特殊な容器のために新たな運搬装置を製作、購入することは高価で大掛かりなものになり、好ましくなかった。
【課題を解決するための手段】
【０００７】
本考案は、これらの問題を解決する為、水平方向に設けられた２本の支柱の間に容器を抱持するための第１湾曲板と、その外側に第２湾曲板を取りつけ、前記第２湾曲板の上端部には湾曲方向に沿った突起部と容器を吊持する吊持手段が設けられていることを特徴とするドラム缶運搬装置用の円筒形容器運搬アタッチメントに関する考案である。さらには、運搬する円筒形容器側にくぼみがある場合、そのくぼみに合わせた爪を取り付けることを特徴とする。
【考案の効果】
【０００８】
本考案のドラム缶運搬装置用の円筒形容器運搬アタッチメントを使用することにより、紐状の固定部のみで容器を固定する場合に比べ、容器を吊持することから運搬中に容器が滑り落ちるといった問題を排することが可能である。さらに、円筒形容器側にくぼみがある場合、そのくぼみに合わせた爪を取り付けることから、更なる運搬中の落下対策が可能である。また、容器に併せた新たな運搬装置を提供するのでなく、一般的なドラム缶運搬装置に取りつけ可能な形状を有しているアタッチメントであることから、新たな運搬装置に比べ安価でかつコンパクトであるという特徴も有している。
【考案を実施するための最良の形態】
【０００９】
本考案のドラム缶運搬装置用の円筒形容器運搬アタッチメントの基本構造としては、垂直方向に２本の支柱を有し、この２本の支柱の間に第１湾曲板と第２湾曲板を設けた構造とする。第１湾曲板、第２湾曲板はそれぞれ１個ずつでも、複数個有しても良い。軽量化及び安定性の観点からすれば上下にそれぞれ１個ずつ有する形が好ましい。また、これらの材質は、運搬する容器の重量に十分耐えうるものであればどのようなものでも良く、鉄やステンレス等の金属が耐久性の点から好ましい。
【００１０】
本考案の第１湾曲板は運搬する容器の形状に合わせ湾曲した形とし、運搬時に第１湾曲板で運搬する容器を抱えることが可能な形状と大きさとする。また、運搬する容器にくぼみが有る場合、そのくぼみの大きさ、及び位置に合わせた爪を設けることが運搬時の安定性の面から好ましい。この爪の材質は、運搬する容器の重量に十分耐えうるものであればどのようなものでも良く、鉄やステンレス等の金属が耐久性の点から好ましい。
【００１１】
本考案の第２湾曲板は、後述するドラム缶運搬装置で掴持可能であればどのような形状、大きさでも良い。第１湾曲板に沿った形状であれば、本考案のドラム缶運搬装置用のアタッチメントの大きさが相対的に小さくなり、取扱いやすくなることから好ましい。また、第２湾曲板の上端部には後述する吊持手段及び突起部を設ける。
【００１２】
本考案の吊持手段は第２湾曲板の上部に設置され、運搬する容器を吊り、固定できるものであればどのようなものでも良い。このようなものの例として、紐やチェーン等が挙げられる。また、吊持手段は一つでも、複数有していても良く、その設置場所は第２湾曲板の上部で運搬する容器をバランス良く吊持出来る場所であればどのような場所でも良い。吊持方法としては、運搬する容器の上部や側面部にある把手部分に吊持手段である、第２湾曲板に設置された紐やチェーン等を通し、運搬時に吊り上げられるような状態となるように固定する。
【００１３】
本考案の突起部は、第２湾曲板の上端部中央付近に設置され、ドラム缶運搬装置の爪やフックにより掴持可能な形状を有していればどのようなものでもよい。例えば、市販のドラム缶のように、第２湾曲板の曲面部に沿うようにリング状の突起を設ける等の方法が例示される。
【００１４】
本考案に適用可能なドラム缶運搬装置は、ドラム缶の上端突起部に爪やフックを引っ掛け、ドラム缶を吊り上げる形状のものであればどのようなものでも良い。このようなドラム缶運搬装置の例として、実開Ｈ６−６１６４４号公報に記載されるドラム缶等筒型容器の運搬機の例が挙げられる。
【００１５】
本考案に適用可能な容器の例としては、円筒型で吊持手段により吊持可能な容器であればどのようなものでも良い。例えば上部や側面に把手を有する容器や、上部や側面にフックがあるような容器が例示される。さらには、容器側面に爪を挿入する為のくぼみを有する容器であれば、より安定して運搬が可能となることから、好ましい。
【００１６】
以上詳述したように本考案のドラム缶運搬装置用の円筒形容器運搬アタッチメントを用いることによって、ドラム缶のように上端部に突起部がないような容器に対し、紐状の固定部のみで容器する場合に比べ、容器を吊持することから運搬中に容器が滑り落ちるといった問題を排することが可能である。さらに、容器側にくぼみがある場合、そのくぼみに合わせた爪を取り付けることから、更なる運搬中の落下対策が可能である。また、容器に併せた新たな運搬装置を提供するのでなく、一般的なドラム缶運搬装置に取りつけ可能なアタッチメントとなるような形状を有していることから、新たな運搬装置に比べ安価でかつコンパクトであるという特徴も有している。
【図面の簡単な説明】
【００１７】
【図１】本考案のドラム缶運搬装置用の円筒形容器運搬アタッチメントの具体的一実施例の斜視図である。
【図２】本考案のドラム缶運搬装置用の円筒形容器運搬アタッチメントの具体的一実施例のうち、第２湾曲板の上面図である。
【図３】本考案のドラム缶運搬装置用の円筒形容器運搬アタッチメントの具体的一実施例のうち、容器を運搬している際の模式図である。
【実施例】
【００１８】
以下添付図に従って、一実施例を説明する。本考案のドラム缶運搬装置用の円筒形容器運搬タッチメントは、例えば図１に示す通り、２本の支柱１の間に、上下それぞれ２個の第１湾曲板２と第２湾曲板３を設けた。また、第２湾曲板３の上部には、吊持手段４としてチェーンを２組、設置した。続いて、図２に示すように突起部５を二組の吊持手段４の間、第２湾曲板３の中央部に設け、また、運搬する容器９に併せ、第１湾曲板２に爪６を２組設置した。
【００１９】
次に、本考案のドラム缶運搬装置用の円筒形容器運搬アタッチメントの使用法について説明する。図３は実際に運搬している際の様子を図示している。この図のように突起部５に、ドラム缶運搬装置７のドラム缶運搬装置爪部８が固定され、ドラム缶運搬装置爪部８を上昇させることにより、容器９が持ち上がった状態となる。同時に、運搬したい容器９が吊持手段４及び第１湾曲板により固定され、更には爪６が容器９に挿入されていることにより更に安定した運搬が可能となる。
【符号の説明】
【００２０】
１                    ：支柱
２                    ：第１湾曲板
３                    ：第２湾曲板
４                    ：吊持手段
５                    ：突起部
６                    ：爪
７                    ：ドラム缶運搬装置
８                    ：ドラム缶運搬装置爪部
９                    ：容器
【図１】
0003176289.tif 000003
【図２】
0003176289.tif 000004
【図３】
0003176289.tif 000005